(57)【特許請求の範囲】
【請求項１】
一対の側プレートの間に、ファンプレートを所定間隔で立設すると共に、上記各プレートの間に周方向に複数の羽根（ブレード）を架設し、空気流の発生方向が、その回転軸に直交する方向から一方の側プレート側に偏向するように羽根（ブレード）をスキュー角をもって傾斜させて構成したクロスフローファンと、空気流の吹き出し側の流路にクロスフローファンに角度をつけて整流板（リブ）とを備え、前記整流板（リブ）のクロスフローファンに対する角度は、平面に投影したファンの羽根（ブレード）に対して整流板（リブ）が垂直になるように、前記スキュー角に合わせて設定してなることを特徴とする送風機。
【発明の詳細な説明】
【０００１】
【発明の属する技術分野】
本発明は空気調和機等に用いられるクロスフローファンからなる送風機に関する。
【０００２】
【従来の技術】
空気調和機の室内ユニットとしての室内機には、熱交換器、ファンモータ、このモータで駆動され、熱交換器で加熱／冷却された空気を室内に戻すクロスフローファンからなる送風機及び室内制御部が搭載されている。
【０００３】
図２に一般的な空気調和機の室内機の要部分解図を示す。室内機は大別すると、室内機本体１、クロスフローファン２、熱交換器３からなり、室内機本体１のスクロールケーシング４には垂直に整流板（リブ）５が設けられ、クロスフローファン２はファンモータ６と軸結されている。クロスフローファン２は所定間隔で立設するファンプレート２１の間に回転軸に平行して周方向に複数の羽根（ブレード）２２を架設している。クロスフローファン２は軸受７、取付部材８、９等により室内機本体１に取り付けられる。
【０００４】
さらに熱交換器３を取り付けて室内機を構成し、クロスフローファン２を回転させると、吸込みグリルを通して室内機内に吸込まれる室内空気は熱交換器３を通過した後、クロスフローファン２を貫流して吹出口より加熱／冷却された空気が室内に吹出される。その時、クロスフローファン２では、基本的にはファンプレート２１の間ごとに風路が形成されるため、隣接するファンプレートの間との相互において空気の流れが干渉仕合い、ファンプレート２１の近傍で風の乱れが生じやすくなり、騒音が発生する原因になっていた。そこで、スクロールケーシング４に整流板（リブ）５を設け、それによって空気流は整流され、安定にされて騒音の発生を低減している。
【０００５】
【発明が解決しようとする課題】
しかし、クロスフローファンの所定間隔で立設するファンプレートの間に、回転軸に平行して周方向に複数の羽根（ブレード）を架設しているタイプのものでは、どうしてもファンプレートの近傍での風の乱れで、騒音の発生を減らすことには限界があった。そこで本発明は、ファンプレートの近傍での風の乱れによる騒音の発生を減らし、空気流を整流して安定にし騒音の発生をより低減する送風機を提供することを目的とする。
【０００６】
【課題を解決するための手段】
上記目的を達成するために、本発明の請求項１に係る送風機は、一対の側プレートの間に、ファンプレートを所定間隔で立設すると共に、上記各プレートの間に周方向に複数の羽根（ブレード）を架設し、空気流の発生方向が、その回転軸に直交する方向から一方の側プレート側に偏向するように羽根（ブレード）をスキュー角をもって傾斜させて構成したクロスフローファンと、空気流の吹き出し側の流路にクロスフローファンに角度をつけて整流板（リブ）とを備え、前記整流板（リブ）のクロスフローファンに対する角度は、平面に投影したファンの羽根（ブレード）に対して整流板（リブ）が垂直になるように、前記スキュー角に合わせて設定した構成とする。
【０００８】
こうして、従来のクロスフローファンのように所定間隔で立設するファンプレートの間に回転軸に平行して周方向に複数の羽根（ブレード）を架設するものに比して、ファンプレートの近傍での風の乱れによる騒音の発生を減らすことができる。また、従来の室内機本体のスクロールケーシングに垂直に整流板（リブ）が設けられものに比して、空気流が整流板（リブ）に沿ってスムーズに流れることにより空気の流れが整流され、安定にされて騒音の発生を一層低減させて室内に吹き出されることになる。
【０００９】
【発明の実施の形態】
本発明の送風機に用いられるクロスフローファン及び整流板（リブ）を図１  （Ａ）に、送風機の側面概念図を図１（Ｂ）に示す。次に図を参照して本発明を説明する。
【００１０】
図１において図２のものと同じものには同一番号を付しており、２はクロスフローファンであり、クロスフローファン２は所定間隔で立設するファンプレート２１の間に周方向に複数の羽根（ブレード）２２を架設し、羽根（ブレード）をスキュー角θをもって傾斜させて構成されている。
【００１１】
これにより、空気流の発生方向が、その回転軸に直交する方向から一方の側プレート側に偏向するようになり、従来のクロスフローファンのように所定間隔で立設するファンプレートの間に回転軸に平行して周方向に複数の羽根（ブレード）を架設するものに比して、ファンプレートの近傍での風の乱れによる騒音の発生を減らすことができる。
【００１２】
室内機本体のスクロールケーシング４には空気流の吹き出し側の流路に設置される整流板（リブ）５をクロスフローファン２のスキュー角θに合わせて角度をつけて設置する。整流板（リブ）５をクロスフローファン２のスキュー角に合わせる角度は、実質的に平面に投影したファンのブレード２２に対して垂直になるように設定される。
【００１３】
このように構成された送風機は、図１（Ｂ）の側面概念図に示すように、クロスフローファン２は矢印の方向に回転し、その結果、空気流は羽根（ブレード）から吹き出されてスクロールケーシング４に設置される整流板（リブ）５により空気の流れが整流され、安定にされて騒音の発生を低減して室内に吹き出される。
【００１４】
このとき、整流板（リブ）５をクロスフローファン２のスキュー角に合わせ、平面に投影したファンの羽根（ブレード）２２に対して垂直になるように設定するので、クロスフローファン２の羽根（ブレード）２２から吹き出される空気流は整流板（リブ）５に沿って平行に流れるために、従来の室内機本体のスクロールケーシング４に垂直に整流板（リブ）５が設けられものに比して、空気流が整流板（リブ）５に衝突することがないので、より空気の流れが整流され、安定にされて騒音の発生を一層低減して室内に吹き出されることになる。
【００１５】
【発明の効果】
以上のように本発明の送風機は、従来のクロスフローファンのように所定間隔で立設するファンプレートの間に回転軸に平行して周方向に複数の羽根（ブレード）を架設するものに比して、ファンプレートの近傍での風の乱れによる騒音の発生を減らすことができる。また、従来の室内機本体のスクロールケーシングに垂直に整流板（リブ）が設けられものに比して、空気流が整流板（リブ）に沿ってスムーズに流れることにより空気の流れが整流され、安定にされて騒音の発生を一層低減させて室内に吹き出されることになる。
【図面の簡単な説明】
【図１】本発明の送風機の概略構成図。
【図２】一般的な空気調和機の室内機の要部分解図。
【符号の説明】
１        室内機本体
２        クロスフローファン
３        熱交換器
４        スクロールケーシング
５        整流板（リブ）
６        ファンモータ
７        軸受
８，９    取付部材
２１      ファンプレート
２２      羽根（ブレード）
【図１】
0003588251.tif 000002
【図２】
0003588251.tif 000003